(57)【特許請求の範囲】
【請求項１】
台座金具と楔金具とから成り、この台座金具の台座部分の底部の略中央には一カ所のネジ止め用透孔が用意されており、また、台座金具の両端近くには楔金具の両突片を挿入させる一対の切欠部が形成されており、更に、この切欠部は、その上方側は楔金具の侵入方向に向かって下方に傾斜しており、切欠部の上方側又は下方側には楔金具の突片が落ち込む段部が形成されている構成であり、楔金具は、断面弧状であり、両側に前記した台座金具の切欠部に挿入される突片が形成されている構成であることを特徴とする配管用サドル。
【発明の詳細な説明】
【０００１】
【発明の属する技術分野】
本発明は、ガス・水道等の配管を床等に固定するのに用いられる配管用サドルに関する。
【０００２】
【従来の技術】
従来、電気配線用の管や水道管或いはこれらの鞘管を床面等に固定するのに用いられる配管用サドルとしては、実開昭５４−１３４３２２号公報、実開昭６１−７５５７３号公報等に記載されているように、金属板をΩ型に形成し、Ω型部材の環状部分を管に取り付け、Ω型部材の水平脚部のそれぞれをコンクリートネジ等で床面に固定するものが利用されている。また、実開昭４９−１０４０１５号公報、実公平５−２０９４６号公報に記載されているように、Ω型部材及び台座を合成樹脂材で形成したものも知られている
【０００３】
【発明が解決しようとする課題】
配管作業は、機械化が困難で全て手作業で行われるため、取付強度を弱めることなく作業の容易性・簡易性が得られることを課題として配管用サドルの改良が様々に行われている。従来の配管用サドルでは、Ω型部材の水平脚部を２本のコンクリートネジ等で床面等に固定するか、或いは、先ず台座を２本のコンクリートネジ等で床面等に固定し、この台座にΩ型部材をネジを用いないで固定する手法が行われている。
【０００４】
床面等に仮配列した管に対して順次Ω型部材を取り付けて管の固定を行う手法では、管の保持を行いつつΩ型部材の脚部へのネジの締め付けを行わなければならないので、かなり煩雑である。また、予め台座を取りつけておく手法では、管の配置方向に対して正しく直角に台座を固定しておかねばならず、台座の取り付け位置が変位していると配管不能となるので、かなりの正確さが必要なため、作業性が悪くなることが指摘されている。
【０００５】
本発明は、上記に鑑み、使い勝手が良好で作業性が高く、取り付け方向の変位を容易に調整することが可能である改良された配管用サドルを明らかにすることを目的とする。
【０００６】
【課題を解決するための手段】
本発明に係る配管用サドルは、台座金具と楔金具とから成り、この台座金具の台座部分の底部の略中央には一カ所のネジ止め用透孔が用意されており、また、台座金具の両端近くには楔金具の両突片を挿入させる一対の切欠部が形成されており、更に、この切欠部は、その上方側は楔金具の侵入方向に向かって下方に傾斜しており、切欠部の上方側又は下方側には楔金具の突片が落ち込む段部が形成されている構成であり、楔金具は、断面弧状であり、両側に前記した台座金具の切欠部に挿入される突片が形成されている構成であること、を特徴とする。
【０００７】
【発明の実施の態様】
図１は、本発明に係る配管用サドルを分解斜視図で示すものである。図において、符号１０は台座金具であり、中央部位に一個のネジ止め用透孔１１が形成されている台部分１２と、管を抱きかかえる一対の弧状部分１３とで構成されており、弧状部分１３のそれぞれには、後述する楔金具２０の突片２１を挿入するための切欠部１４が形成されている。切欠部１４の上方側の線は、楔金具２０の侵入方向に向かって下方に傾斜しており、途中から段部１５となっている。
【０００８】
楔金具２０は断面が弧状で、両端に突片２１が形成されており、後端及び前端に折曲部２２、２３が形成されている。後端折曲部２２は、楔金具２０を台座金具１０の切欠部１４に挿入する際に利用するものであるので、ポンチ等の工具を利用して叩いて挿入する形態とすれば必ずしも必要な要素ではない。また、折曲部２２としないで断面凹状の樹脂材などを取り付ける構成であってもよい。
【０００９】
尚、前端折曲部２３は、楔金具２０と管との滑り性を向上させるためのものであり、特に管の表面に凹凸がある鞘管である場合に効果的である。
【００１０】
上記したように、切欠部１４の上側の線は、楔金具２０の侵入方向に向かって下方に傾斜しているので、楔金具２０の両突片２１を切欠部１４に挿入すると、斜め状態で挿入が進み、従って、台座金具１０に配置されている管を押圧する方向に力が作用し、突片２１の後端が段部１５の位置を越えると、突片２１は上方に移動し、段部１５に阻止されて後退が不可能となる。
【００１１】
また、図２に示すように、切欠部１４の上方側を楔金具２０の侵入方向に向かって下方に傾斜させるだけとし、下方側に段部１５Ａを形成する態様も本発明に包含される。
【００１２】
尚、図２において符号１６はリブであり、鞘管を固定する場合に、鞘管の表面に形成されている凹部に係合するよう、内側に突出させる。このリブ１６は、図のように単数であっても、或いは複数であってもよい。このリブ１６は図１の実施例にも設けることが好ましい。
【００１３】
図３及び図４は本発明に係る配管用サドルの他の実施例を示すもの（材料の厚みを省略した概略図）である。
【００１４】
図３に示す実施例は、台座金具１０に対する楔金具２０の取り付けを横位置で行う構成である。尚、この実施例の形態では、ネジ止め用透孔１１を介してコンクリートネジ等を取り付けるに際して利用する電動ドライバーのための開口１７が用意されている。
【００１５】
図４に示す実施例は、床等に固定する作業を容易にするために、台座金具１０を２つの部材に分割し、開口１８とフック１９とによる係合手段により着脱自在に構成されている。
【００１６】
尚、図４に示す実施例において、開口１８とフック１９とによる係合手段に代えてヒンジ機構とする構成も本発明に包含される。
【００１７】
本発明に係る配管用サドルを利用して管を床等に固定するには、先ず、台座金具１０を、ネジ止め用開孔１１を利用して、コンクリートネジ等により床面に固定し、次いで、管を台座金具１０の内側空間に配列する。このとき台座金具１０の取り付け方向が管の配列方向とズレが生じていても、台座金具１０の固定位置が単一であるので、固定位置を中心に回動させることで取り付け方向を簡単に調整することができる。従来の配管用サドルでは台座の固定が２点で行われているために、上記のような場合には、少なくとも一方のネジを取り外して固定し直す必要がある。この点において本発明に係る配管用サドルの使い勝手が良好であることは明らかである。また、従来の配管用サドルでは、２本のコンクリートネジによって床等に固定しており、一本止めである本発明の配管用サドルが２分１の作業時間に短縮することができることは自明である。
【００１８】
台座金具１０に管を配列したら、楔金具２０を台座金具１０の切欠部１４に取り付ける。上記したように、このとき楔金具２０は、傾斜状態である切欠部の上方の線に沿って挿入が進行するので、挿入が進むに従って管に対する押圧力が増大することになる。挿入の最終段階では、楔金具２０の突片２１が切欠部１４の段部１５の位置を越えるので逆戻りが不可能となる。以上の作業で管の固定が完了となる。
【００１９】
尚、固定を行う管が、鞘管のように押圧により変形するものである場合には、管側からの反発力で楔金具２０が上方に押されるので、より強固な固定が可能となる。
【００２０】
図３に示す実施例の配管用サドルでは、台座金具１０の床等に対する固定作業が、開口１７を利用する点で、異なるのみである。また、図４に示す実施例の配管用サドルでは、係合手段で台座金具１０を合体させることだけが異なる。
【００２１】
尚、ネジ止め用透孔１１は２カ所以上設けて管の取り付け位置の状況に対応させてどちらかを選択できる構成とすること、或いは長孔とする構成も本発明に包含される。
【００２２】
【発明の効果】
本発明に係る配管用サドルによれば、台座金具１０の床等に対する固定がネジ止め用開孔１１の位置だけの１点で行われるので、従来２点で固定していたのに比較して作業時間の短縮化に有利である。また、本発明の構成に依れば、ネジの取りつけ直しを行うことなく取り付け方向を簡単に調整できるので、従来の製品に比較して非常に使い勝手が良好となる。
【００２３】
更に、台座金具１０に対する管の固定が、楔金具２０の斜め方向への挿入（打込み）だけで強固に行うことができるので、上記した利点と合わせ、作業性の向上に非常に有利である。また、打ち込みに従って締め付け力が増大する楔の技術を利用しているので、管の固定力が強く、作業者の足が引っ掛かる程度では外れてしまう虞がない。
【図面の簡単な説明】
【図１】本発明の実施例を示す分解斜視図
【図２】本発明の他の実施例を示す側面図
【図３】本発明の他の実施例を示す分解斜視図
【図４】本発明の他の実施例を示す分解斜視図
【符号の説明】
１０−台座金具
１１−ネジ止め用開孔
１２−台座部分
１３−弧状部分
１４−切欠部
１５−段部
１６−リブ
１７−開口
１８−開口
１９−フック
２０−楔金具
２１−突片
２２−後端折曲部
２３−前端折曲部
【図１】
0003729561.tif 000002
【図２】
0003729561.tif 000003
【図３】
0003729561.tif 000004
【図４】
0003729561.tif 000005